【手続補正書】
【提出日】令和3年6月10日(2021.6.10)
【手続補正１】
【補正対象書類名】特許請求の範囲
【補正対象項目名】全文
【補正方法】変更
【補正の内容】
【特許請求の範囲】
【請求項１】
デジタル信号を電気絶縁して伝送するための検出器回路（８）であって、
２つの差動信号入力部（ＲＦ１、ＲＦ２）と、
入力コモンモード電圧接続部（ＶＣＭ）と、
交流電圧結合部と、
差動段と、
作動電圧接続部（ＡＶＤＤ）と、
作動接地接続部（ＡＶＳＳ）と、
信号出力部（ＩＲＥＣＴ）と、
バイアス電流接続部（ＩＢＩＡＳ）と、
整流器段と
を備え、
前記交流電圧結合部が、２つのコンデンサ（Ｃ１、Ｃ２）と２つの抵抗器（Ｒ１、Ｒ２）とを含み、前記コンデンサ（Ｃ１、Ｃ２）が第１の側でそれぞれ前記差動信号入力部（ＲＦ１、ＲＦ２）に接続されており、前記２つのコンデンサ（Ｃ１、Ｃ２）の第２の側がそれぞれ前記差動段に接続されており、それぞれの前記抵抗器（Ｒ１、Ｒ２）を介して前記入力コモンモード電圧接続部（ＶＣＭ）に接続されており、
前記差動段が、第１のｎチャネルトランジスタ（ＭＮ１）と第２のｎチャネルトランジスタ（ＭＮ２）とを含み、前記第１および第２のｎチャネルトランジスタ（ＭＮ１、ＭＮ２）が前記交流電圧結合部のそれぞれの抵抗器（Ｒ１、Ｒ２）およびそれぞれのコンデンサ（Ｃ１、Ｃ２）にそれぞれ接続されており、
前記バイアス電流接続部（ＩＢＩＡＳ）が、第３のｎチャネルトランジスタ（ＭＮ３）を介して前記差動段に接続されており、前記バイアス電流接続部（ＩＢＩＡＳ）が、第４のｎチャネルトランジスタ（ＭＮ４）および第５のｎチャネルトランジスタ（ＭＮ５）を介して前記整流器段に接続されており、
前記作動接地接続部（ＡＶＳＳ）が前記第３、第４および第５のｎチャネルトランジスタ（ＭＮ３、ＭＮ４、ＭＮ５）に接続されており、
前記整流器段が、５つのｐチャネルトランジスタ（ＭＰ１、ＭＰ２、ＭＰ３、ＭＰ４、ＭＰ５）を含み、前記第１のｎチャネルトランジスタ（ＭＮ１）が第１のｐチャネルトランジスタ（ＭＰ１）、第４のｐチャネルトランジスタ（ＭＰ４）および第５のｐチャネルトランジスタ（ＭＰ５）に接続されており、前記第２のｎチャネルトランジスタ（ＭＮ２）が第２のｐチャネルトランジスタ（ＭＰ２）、第４のｐチャネルトランジスタ（ＭＰ４）および第５のｐチャネルトランジスタ（ＭＰ５）に接続されており、
前記作動電圧接続部（ＡＶＤＤ）が、第１、第２および第３のｐチャネルトランジスタ（ＭＰ１、ＭＰ２、ＭＰ３）に接続されており、
前記信号出力部（ＩＲＥＣＴ）が前記第４および第５のｐチャネルトランジスタ（ＭＰ４、ＭＰ５）に接続されている、検出器回路（８）。
【請求項２】
請求項１に記載の検出器回路（８）であって、前記第１のｐチャネルトランジスタ（ＭＰ１）および前記第２のｐチャネルトランジスタ（ＭＰ２）が、差動信号が前記差動信号入力部（ＲＦ１、ＲＦ２）に印加されていない場合に、前記第１のｎチャネルトランジスタ（ＭＮ１）および前記第２のｎチャネルトランジスタ（ＭＮ２）が引き出すことができるよりも大きい電流を供給することができるように設定されている、検出器回路（８）。
【請求項３】
請求項１または２に記載の検出器回路（８）であって、十分に大きな増幅を有する高周波差分信号が前記差分信号入力部（ＲＦ１、ＲＦ２）に印加されている場合に、第１のｎチャネルトランジスタ（ＭＮ１）および第２のｎチャネルトランジスタ（ＭＮ２）が、前記第１のｐチャネルトランジスタ（ＭＰ１）および前記第２のｐチャネルトランジスタ（ＭＰ２）が供給することができるよりも大きい電流を引き出すことができるように設定さ
れている、検出器回路（８）。
【請求項４】
請求項１から３までのいずれか１項に記載の検出器回路（８）であって、十分に大きい振幅を有する高周波差動信号が前記差動信号入力（ＲＦ１、ＲＦ２）に印加されている場合に、前記第３のｎチャネルトランジスタ（ＭＮ３）からのドレイン電流が前記第１のｎチャネルトランジスタ（ＭＮ１）または前記第２のｎチャネルトランジスタ（ＭＮ２）を通って完全に伝導される、検出器回路（８）。
【請求項５】
請求項４に記載の検出器回路（８）であって、前記第４のｐチャネルトランジスタ（ＭＰ４）と前記第５のｐチャネルトランジスタ（ＭＰ５）とが交互に制御され、十分に大きい振幅を有する高周波差動信号が前記差動信号入力（ＲＦ１、ＲＦ２）に印加されている場合に、それぞれ未使用のドレイン電流が前記第１のｐチャネルトランジスタ（ＭＰ１）および前記第２のｐチャネルトランジスタ（ＭＰ２）から前記信号出力部（ＩＲＥＣＴ）へ伝導される、検出器回路（８）。
【請求項６】
デジタル信号を電気絶縁して伝送するためのシステム（１）であって、
オンオフキーイング変調器を有する送信機（４）を備える送信機側（２）と、
電流比較器（７）、コモンモード制御回路（９）、および請求項１から５までのいずれか１項に記載の検出器回路（８）を備える受信機側（３）と
を備えるシステム（１）。
【手続補正２】
【補正対象書類名】明細書
【補正対象項目名】０００６
【補正方法】変更
【補正の内容】
【０００６】
容量性アイソレータは、交流電流結合の原理に基づいている。送信機と受信機との間の結合素子として、十分な耐電圧性を有するコンデンサが使用される。コンデンサの誘電体は、送信機と受信機との間の電気絶縁体としての役割を果たす。この場合にも、確実な伝送には適切に変調された搬送波信号が必要である。
【手続補正３】
【補正対象書類名】明細書
【補正対象項目名】０００９
【補正方法】変更
【補正の内容】
【０００９】
発明の利点
本発明による検出器回路は、搬送波信号の印加された第１の半波によって、対応する電流信号を出力することができる。これにより、本質的に電流比較器の慣性によって決定される高い伝送速度が可能となる。
【手続補正４】
【補正対象書類名】明細書
【補正対象項目名】００１３
【補正方法】変更
【補正の内容】
【００１３】
コンデンサと抵抗器とからなるネットワークは差動信号入力部に属し、入力コモンモード電圧を同時に確定することによって交流電流結合部を形成する。この結合により、コモンモード制御回路（例えば、図１の参照番号９を参照）または電気絶縁自体における不整合によって引き起こされる可能性のあるずれを抑制することができる。入力コモンモード電圧は、コモンモード干渉、すなわち、差動信号入力部における同方向の電圧変化が、いかなる状況においても、バイアス電流接続部と差動信号入力部との間に配置された第３のｎチャネルトランジスタ、または差動段（第１および第２のｎチャネルトランジスタ）の飽和条件を損なうことがないように選択されることが望ましい。
【手続補正５】
【補正対象書類名】明細書
【補正対象項目名】００２５
【補正方法】変更
【補正の内容】
【００２５】
受信機は、２つの部分、すなわち差動信号が検出された場合に電流信号を出力する検出器回路と、電流信号をデジタル信号に変換する電流信号のための比較器とからなる。
【手続補正６】
【補正対象書類名】明細書
【補正対象項目名】００２９
【補正方法】変更
【補正の内容】
【００２９】
図１は、デジタル信号を電気絶縁して伝送するための本発明によるシステム１の実施形態を示す。システム１は、オンオフキーイング変調器を有する送信機４を備える送信機側２と、受信機５、電流比較器７、およびコモンモード制御回路９を備える受信機側３とを備える。本発明による検出器回路８は受信機５と電気絶縁部６とを有する。
【手続補正７】
【補正対象書類名】明細書
【補正対象項目名】００３４
【補正方法】変更
【補正の内容】
【００３４】
整流器段は、５つのｐチャネルトランジスタＭＰ１、ＭＰ２、ＭＰ３、ＭＰ４、ＭＰ５を備える。第１のｎチャネルトランジスタＭＮ１は、第１のｐチャネルトランジスタＭＰ１、第４のｐチャネルトランジスタＭＰ４、および第５のｐチャネルトランジスタＭＰ５に接続されている。第２のｎチャネルトランジスタＭＮ２は、第２のｐチャネルトランジスタＭＰ２、第４のｐチャネルトランジスタＭＰ４、および第５のｐチャネルトランジスタＭＰ５に接続されている。